(57)【特許請求の範囲】
【請求項１】
それぞれ後面側をＬ字状に折り曲げて成形された折り曲げ辺および該折り曲げ辺に穿設された固定穴を有する一対の側面板と底板とからコ字状に成形されて、引出形電気機器の収納空間を構成する鋼板製の収納枠体と、それぞれ両端を上記一対の側面板の後面側に固定されて、上下に並んで上記一対の側面板の後面側間に架設された一対の支持具とを備え、
締結部材を上記固定穴に通して上記折り曲げ辺を支持部材に締着固定して該支持部材に片持ち支持状態に取り付けられるように構成され、
接続端子が上記一対の支持具に取り付けられ、上記接続端子に接続される回路側の接続導体を挿通させる開口部が上記収納枠体の底板の後面側に形成されていることを特徴とする引出形電気機器の収納枠。
【請求項２】
上記収納枠体は、１枚の鋼板をコ字状に折り曲げて形成されていることを特徴とする請求項１記載の引出形電気機器の収納枠。
【請求項３】
上記収納枠体は、上記一対の側面板の下端側と上記底板の幅方向の両側とを連結してコ字状に成形されていることを特徴とする請求項１記載の引出形電気機器の収納枠。
【請求項４】
上記一対の側面板は上記一対の側面板は前面側および後面側がＬ字状に折り曲げられてコ字状に成形され、上記底板は幅方向の両側がＬ字状に折り曲げられてコ字状に成形されていることを特徴とする請求項３記載の引出形電気機器の収納枠。
【請求項５】
上記一対の側面板の少なくとも３辺がＬ字状に折り曲げられていることを特徴とする請求項１又は請求項３に記載の引出形電気機器の収納枠。
【請求項６】
それぞれ後面側をＬ字状に折り曲げて成形された折り曲げ辺および該折り曲げ辺に穿設された固定穴を有する一対の側面板と底板とからコ字状に成形されて、引出形電気機器の収納空間を構成する鋼板製の収納枠体と、それぞれ両端を上記一対の側面板の後面側に固定されて、上下に並んで上記一対の側面板の後面側間に架設された一対の支持具とを備え、
締結部材を上記固定穴に通して上記折り曲げ辺を支持部材に締着固定して該支持部材に片持ち支持状態に取り付けられるように構成され、
上記収納枠体は、１枚の鋼板をコ字状に折り曲げて形成されていることを特徴とする引出形電気機器の収納枠。
【請求項７】
上記引出形電気機器の車輪を走向させるコ字状のレールが上記収納枠体の上記底板の幅方向両側に奥行き方向に延設され、上記引出形電気機器の固定用の穴が上記底板に穿設されていることを特徴とする請求項１乃至請求項６のいずれか１項に記載の引出形電気機器の収納枠。
【請求項８】
分岐導体支持用碍子が上記一対の側面板に取り付けられていることを特徴とする請求項１乃至請求項７にいずれか１項に記載の引出形電気機器の収納枠。
【発明の詳細な説明】
【０００１】
【発明の属する技術分野】
この発明は、引出形遮断器、引出形計器用変圧器、引出形避雷器などの引出形電気機器を収納する収納枠に関するものである。
【０００２】
【従来の技術】
図４は従来のスイッチギヤの構成を模式的に示す縦断面図、図５は図４のＶ−Ｖ矢視断面図である。
図４および図５において、スイッチギヤ１は、遮断器２０や母線２１などの電気機器がハウジング２内の所定の位置に収納され、各電気機器が電気導体により接続されて構成されている。
ハウジング２は、それぞれ金属板で作製された床板２ａ、前面扉２ｂ、一対の側面板２ｃ、後面板２ｄおよび天井板２ｅにより箱形に構成されている。また、コ字状あるいはＬ字状に曲げ成形された鋼板製の縦柱３が、床板２ａの両側縁部の所定位置に、溶接等により固定されて立設されている。ここでは、縦柱３は、奥行き方向（図４および図５の左右方向）の両端部の２箇所および奥行き方向の中間部の２箇所に、幅方向（図４の紙面に垂直な方向、図５の上下方向）に相対して配設されている。そして、前面扉２ｂ、側面板２ｃ、後面板２ｄおよび天井板２ｅが、縦柱３にボルトやリベットなどにより締着固定されて一体化されている。このハウジング２の内部空間は、後述する隔壁部材により、母線コンパートメント１０、遮断器コンパートメント１１、ケーブルコンパートメント１２および制御コンパートメント１３などに区画されている。
【０００３】
長手方向をハウジング２の幅方向としてハウジング２の奥行き方向に所定距離離れて同一高さ位置で互いに平行に配設されたＬ型アングル４の対が上下２段に配置されている。各Ｌ型アングル４は、両端をハウジング２の奥行き方向の中間部の２箇所に、幅方向に相対して配設された縦柱３の所定の高さ位置に溶接によりそれぞれ固定されて一対の側面板２ｃ間に架設されている。
【０００４】
遮断器収納箱５は、金属板をコ字状に折り曲げ成形した側面板５ｂおよび天井板５ｃの一体物に、金属板からなる底板５ａおよび後面板５ｄを溶接により固定して前面を開口とする箱状に作製されている。そして、側面板５ｂおよび天井板５ｃの一体物の前面側が内方に直角に折り曲げられて遮断器２０の出し入れ口を構成している。また、底板５ａの幅方向の両側をコ字状に曲げ成形してレール５ｅが設けられている。さらに、一対の接続端子２２が電気的に絶縁されて後面板５ｄを貫通して配設されている。そして、遮断器収納箱５が開口をハウジング２の前面側に向けて上下２段のＬ型アングル４の対上にそれぞれ設置され、ボルトやリベットなどにより底板５ａを各Ｌ型アングル４に締着固定されている。
【０００５】
また、仕切板６が両端を相対する縦柱３に溶接あるいはボルトやリベット等により固定されてハウジング２の幅方向いっぱいに取り付けられ、カバー７が各遮断器収納箱５の幅方向両側、かつ、奥行き方向両側で、遮断器収納箱５および縦柱３に溶接あるいはボルトやリベットなどにより固定されて取り付けられている。これにより、ケーブルコンパートメント１２および制御コンパートメント１３が区画される。また、遮断器収納箱５が遮断器コンパートメント１１となる。また、仕切板８および仕切板９がハウジング２の幅方向いっぱいに取り付けられ、母線コンパートメント１０を区画している。さらに、コ字状のフレーム１５ａ、１５ｂが仕切板８、９のそれぞれにハウジング２の幅方向いっぱいに取り付けられ、碍子２３ａ、２３ｃがフレーム１５ａ、１５ｂのそれぞれに取り付けられている。
【０００６】
遮断器２０は車輪（図示せず）が下面側に装着されたいわゆる引出形遮断器であり、車輪を遮断器収納箱５の底板５ａに設けられたレール５ｅを走行させつつ各遮断器収納箱５に前面側から挿入されて収納されている。そして、遮断器２０を遮断器収納箱５内に完全に挿入することで、遮断器２０の後面に設けられた接続端子（図示せず）が遮断器収納箱５の後面板５ｄに設けられた一対の接続端子２２に嵌合し、各接続端子２２に電気的に接続されている。
また、母線２１がハウジング２の母線コンパートメント１０内を幅方向に貫いて配設されている。各遮断器収納箱５の後面に設けられた一対の接続端子２２の一方が碍子２３ａに絶縁支持された電源側分岐導体２４を介して母線２１に接続されている。
【０００７】
また、ケーブルコンパートメント１２においては、接続端子２２の他方が負荷側分岐導体２５の一端に接続され、負荷側分岐導体２５の他端がケーブル２６に接続されている。これらの負荷側分岐導体２５は碍子２３ｂ、２３ｃ、２３ｄにより絶縁支持されている。さらに、各負荷側分岐導体２５は計測器用変流器２７を貫通している。
また、制御コンパートメント１３においては、図示されていないが、電流計などの計器が前面扉２ｂに配設されている。
【０００８】
ここで、線路電圧を測定する必要があり、高電圧のため直接計器に接続できない場合、計器用変圧器を用い、線路電圧に比例する低電圧に変換して、高電圧を絶縁しながら、計器に結合することになる。また、雷や回路の開閉などによる衝撃性過電圧を制限し、機器の絶縁を保護し、かつ、続流を短時間に遮断するために、遮断器を用いることもある。そして、このような計器用変圧器や遮断器も、ハウジング２内に収納されることになる。
【０００９】
【発明が解決しようとする課題】
従来のスイッチギヤは、以上のように、引出形の遮断器２０が遮断器収納箱５に収納されてハウジング２内に収納されている。そして、遮断器収納箱５は、ハウジング２の床板２ａに立設された２本づつの縦柱３に両端を固定された一対のＬ型アングル４に載せられ、その底面を各Ｌ型アングル４に固定され、さらに奥行き方向の前後、かつ、幅方向の両側をそれぞれカバー７を介して縦柱３に固定されて、取り付けられている。
そこで、遮断器収納箱５を取り付けるために必要となる、Ｌ型アングル４およびカバー７からなる支持部材、および、ボルトやリベットなどの締結部材の部品点数が多くなってしまい、遮断器収納箱５の取付に時間がかかり、スイッチギヤの組立性が低下してしまうとともに、部品点数の増加に伴いコスト増となってしまうという課題があった。
また、遮断器収納箱５はその底面、前面および後面で支持部材に固定されているので、締結方向が各固定部位で異なり、締結作業性が低下し、遮断器収納箱５の取付に時間がかかってしまうことになる。
【００１０】
この発明は、上記のような課題を解決するためになされたもので、支持部材に片持ち支持させるようにし、支持部材および締結部材の部品点数の削減を図り、取付時間の短縮化および低コスト化を図ることができる引出形電気機器の収納枠を提供することを目的とする。
【００１１】
【課題を解決するための手段】
この発明に係る引出形電気機器の収納枠は、それぞれ後面側をＬ字状に折り曲げて成形された折り曲げ辺および該折り曲げ辺に穿設された固定穴を有する一対の側面板と底板とからコ字状に成形されて、引出形電気機器の収納空間を構成する鋼板製の収納枠体と、それぞれ両端を上記一対の側面板の後面側に固定されて、上下に並んで上記一対の側面板の後面側間に架設された一対の支持具とを備え、締結部材を上記固定穴に通して上記折り曲げ辺を支持部材に締着固定して該支持部材に片持ち支持状態に取り付けられるように構成され、接続端子が上記一対の支持具に取り付けられ、上記接続端子に接続される回路側の接続導体を挿通させる開口部が上記収納枠体の底板の後面側に形成されているものである。
【００１２】
また、上記収納枠体は、１枚の鋼板をコ字状に折り曲げて形成されているものである。
【００１３】
また、上記収納枠体は、上記一対の側面板の下端側と上記底板の幅方向の両側とを連結してコ字状に成形されているものである。
【００１４】
また、上記一対の側面板は上記一対の側面板は前面側および後面側がＬ字状に折り曲げられてコ字状に成形され、上記底板は幅方向の両側がＬ字状に折り曲げられてコ字状に成形されているものである。
【００１５】
また、上記一対の側面板の少なくとも３辺がＬ字状に折り曲げられているものである。
【００１６】
この発明に係る引出形電気機器の収納枠は、それぞれ後面側をＬ字状に折り曲げて成形された折り曲げ辺および該折り曲げ辺に穿設された固定穴を有する一対の側面板と底板とからコ字状に成形されて、引出形電気機器の収納空間を構成する鋼板製の収納枠体と、それぞれ両端を上記一対の側面板の後面側に固定されて、上下に並んで上記一対の側面板の後面側間に架設された一対の支持具とを備え、締結部材を上記固定穴に通して上記折り曲げ辺を支持部材に締着固定して該支持部材に片持ち支持状態に取り付けられるように構成され、上記収納枠体は、１枚の鋼板をコ字状に折り曲げて形成されているものである。
【００１７】
また、上記引出形電気機器の車輪を走向させるコ字状のレールが上記収納枠体の上記底板の幅方向両側に奥行き方向に延設され、上記引出形電気機器の固定用の穴が上記底板に穿設されているものである。
【００１８】
また、分岐導体支持用碍子が上記一対の側面板に取り付けられているものである。
【００１９】
【発明の実施の形態】
以下、この発明の実施の形態を図について説明する。
実施の形態１．
図１はこの発明の実施の形態１に係る引出形電気機器の収納枠を示す斜視図、図２はこの発明の実施の形態１に係る引出形電気機器の収納枠をスイッチギヤのハウジング内に取り付けた状態を示す斜視図、図３はこの発明の実施の形態１に係る引出形電気機器の収納枠に引出形遮断器を収納した状態を示す斜視図である。なお、図２では、説明の便宜上、前面扉、側面板、後面板および天井板などが省略されている。
【００２０】
図１において、収納枠３０は、底板３１と、下部側を底板３１の幅方向両側に固定された一対の側面板３２と、両端を一対の側面板３２の奥行き方向の後面側間に固定されて上下に平行に配設された一対の支持具３３と、各支持具３３に固定された接続端子３４とを備えている。この接続端子３４は、銅帯をＬ字状に折り曲げて成形され、全面にメッキが施されており、電源側および負荷側分岐導体（回路側の接続導体）が接続されるための穴３４ａが穿設されている。
【００２１】
底板３１は平板状の鋼板を所定形状に曲げ加工して作製され、幅方向の両端にコ字状のレール３１ａが奥行き方向に延設され、インターロック挿入穴３１ｂが主面（底面）に穿設され、さらに取付穴３１ｃがレール３１ａの起立辺に穿設されている。
側面板３２は、矩形平板状の鋼板の３辺をＬ字状に折り曲げて作製され、固定穴３２ｂが後面側の折り曲げ辺３２ａの上下に穿設され、取付穴３２ｃが主面下部の奥行き方向の両側に穿設され、支持具取付穴３２ｄが主面の後面側の上部および中央部に穿設されている。また、碍子取付穴３２ｅが主面の所定位置に穿設されている。
支持具３３は例えば飽和ポリエステルなどの絶縁性樹脂で作製された棒状体であり、Ｌ字状の接続端子３４が取付ねじにより締着固定されている。
【００２２】
このように構成された収納枠３０を組み立てるには、まず一対の側面板３２をＬ字状の折り曲げ辺３２ａを外側に向けて底板３１の幅方向両側に宛い、ボルト３５を取付穴３２ｃ、３１ｃに挿通し、ナット３６をボルト３５の延出部に締着する。これにより、一対の側面板３２が互いに平行に相対して底板３１に固定されてコ字状の収納枠体を形成している。このコ字状の収納枠体が、引出形の遮断器２０の収納空間を構成している。また、底板３１は奥行き方向の長さが短く形成されており、接続端子３４に接続される電源側および負荷側分岐導体を挿通させる開口部５０を形成している。ついで、支持具３３を一対の側面板３２間に入れ、取付ねじ３７を支持具取付穴３２ｄに通して支持具３３を締着固定する。これにより、収納枠３０が組み立てられる。
【００２３】
ついで、このように組み立てられた収納枠３０のスイッチギヤのハウジングへの取付について、図２を参照しつつ説明する。
スイッチギヤのハウジング４０は、図２においては、説明の便宜上、枠体４１と、枠体４１の隣り合う２つの隅に立設され、Ｌ字状に曲げ成形された２本の鋼板製の縦柱４２と、２本の縦柱４２に取り付けられた後面板４３とのみが記載されている。実際には、このハウジング４０は、縦柱４２が枠体４１の四隅に溶接により固定されて立設され、枠体４１が底板に載置され、ボルトやリベットなどの締結部材により締着固定され、さらに前面扉、側面板、後面板４３および天井板が縦柱４２にボルトやリベットなどの締結部材により締着固定されて構成されている。そして、コ字状の鋼板製のフレーム４４が後面板４３の内壁面に縦柱４２に対して幅方向に所定距離離して、縦柱４２と平行にボルトやリベットなどの締結部材により固定されている。
【００２４】
そこで、収納枠３０は、前面扉を上に向けてハウジング４０を倒し、前面扉を開けて、一対の側面板３２の折り曲げ辺３２ａが縦柱４２およびフレーム４４上にのるよう載置される。そして、ボルト３８が上方から折り曲げ辺３２ａの固定穴３２ｂおよび縦柱４２に穿設された取付穴４２ａ、フレーム４４に穿設された取付穴４４ａに通され、ナット３９が下方からボルト３８の延出部に締着され、ハウジング４０に取り付けられる。図２は、収納枠３０が取り付けられたハウジング４０を起立した状態を示している。ここで、縦柱４２およびフレーム４４が収納枠３０の支持部材に相当し、ボルト３８およびナット３９が収納枠３０の締結部材に相当している。
【００２５】
このように収納枠３０がハウジング４０に取り付けられた後、引出形電気機器としての遮断器２０が下面側に装着された車輪２０ａを収納枠３０の底板３１に設けられたレール３１ａ内に入るように収納枠３０の前面側から挿入される。そして、遮断器２０は、車輪２０ａがレール３１ａ内を走行しつつ収納枠３０内に収納される。そして、遮断器２０を収納枠３０内に完全に挿入することで、遮断器２０の後面に設けられた接続端子（図示せず）が収納枠３０の支持具３３に装着された接続端子３４に嵌合し、各接続端子３４に電気的に接続される。さらに、インターロック（図示せず）を下方からインターロック挿入穴３１ｂに差し込み、遮断器２０が位置決め固定される。これにより、遮断器２０が図３に示されるように収納枠３０に収納される。
【００２６】
ここで、図３においては、電源側分岐導体や負荷側分岐導体を支持するための碍子４５が収納枠３０の側面板３２に穿設された碍子取付穴３２ｅを利用して側面板３２に取り付けられた状態を示している。
また、図示していないが、従来のスイッチギヤと同様に、母線や電流計などの電気機器がハウジング４０内の所定位置に収納され、母線と遮断器２０とが接続端子３４を介して電源側分岐導体で電気的に接続され、接続端子３４が負荷側分岐導体を介してケーブルと電気的に接続されている。なお、電源側および負荷側分岐導体は、碍子４５から収納枠３０の下面を通って開口部５０から収納枠３０内に導かれ、接続端子３４に穿設された穴３４ａに取付ボルトとナットと（図示せず）を用いて締結固定される。
【００２７】
この実施の形態１によれば、収納枠３０の一対の側面板３２の後面側をＬ字状に幅方向外側に折り曲げて形成された折り曲げ辺３２ａに固定穴３２ｂを穿設し、ボルト３８を固定穴３２ｂと縦柱４２の取付穴４２ａおよびフレーム４４の取付穴４４ａとに通し、ナット３９をボルト３８の延出部に締着して、収納枠３０を縦柱４２およびフレーム４４の支持部材に取り付けている。そこで、従来の遮断器収納箱５の取り付けに必要であったフレーム４およびカバー７からなる支持部材が不要となり、支持部材の部品点数が削減され、締結部材の部品点数も削減されるので、収納枠３０の取付時間が短縮され、かつ、低コスト化が図られる。また、底板３１の主面にインターロック挿入穴３１ｂが穿設されているので、遮断器２０を収納した後、インターロックをインターロック挿入穴３１ｂに下面側から差し込んで遮断器２０を所定位置に簡易に固定することができる。
【００２８】
また、収納枠３０は一対の側面板３２の後面側に形成された折り曲げ辺３２ａのみが縦柱４２およびフレーム４４に固定されているので、ボルト３８の締結方向が一方向となり、締結作業性が向上され、その分収納枠３０の取付時間が短縮される。さらに、ボルト３８の締結方向が一方向となるので、前面扉を上に向けてハウジング４０を横倒した状態で収納枠３０を取り付けることができ、取付作業性が向上される。
また、一対の側面板３２の３辺がＬ字状に折り曲げられているので、収納枠３０の機械的強度が確保される。
【００２９】
また、収納枠３０が、底板３１と、一対の側面板３２と、側面板３２間を連結一体化する支持具３３とから構成されているので、収納枠３０の構成が簡略化され、軽量化が図られ、収納枠３０の取付作業負荷が軽減される。
また、電源側分岐導体や負荷側分岐導体を支持する碍子４５が側面板３２に取り付けられるようになっているので、従来必要であったフレーム１５ａ、１５ｂが不要となり、さらに、上述の通り従来の遮断器収納箱５の取り付けに必要であったフレーム４およびカバー７からなる支持部材が不要となり、ハウジング４０の構成部品点数の削減が図られる。これにより、スイッチギヤの外部との取り合い点へのアクセスが容易となり、据え付け時のケーブル施工や、日常の保守点検が容易に行えるようになる。さらに、ハウジング４０内の構成レイアウトの自由度が大きくなる。
【００３０】
なお、上記実施の形態１では、一対の側面板３２が矩形平板状の鋼板の３辺をＬ字状に折り曲げて作製されているものとしているが、一対の側面板を矩形平板状の鋼板の２辺をＬ字状に折り曲げてコ字状に形成してもよい。この場合、折り曲げ辺を前面側および後面側に来るように底板３１と結合することになる。
また、上記実施の形態１では、収納枠体を構成する底板３１と一対の側面板３２とを別部材で構成するものとしているが、収納枠体は１枚の鋼板をコ字状に折り曲げ成形して作製してもよい。この場合、底板３１と一対の側面板３２と接続が不要となり、組立性および機械的強度が向上することになる。
また、上記実施の形態１では、レール３１ａが底板３１の幅方向の両端をコ字状に折り曲げて形成するものとしているが、鋼板をコ字状に折り曲げたレール材を底板の幅方向両端、あるいは一対の側面板の下端側に、ねじや溶接により取り付けるようにしてもよい。
【００３１】
また、上記実施の形態１では、収納枠３０は遮断器２０を収納するものとしているが、収納される電気機器は遮断器２０に限定されるものではなく、車輪が装着された電気機器（引出形電気機器）であればよく、例えば車輪が装着された計器用変圧器や避雷器にも適用できることは言うまでもないことである。
【００３２】
また、上記実施の形態１では、一対の側面板３２がボルト３５およびナット３６を用いて底板３１に締着固定されているものとしているが、一対の側面板３２を底板３１に溶接により固定するようにしてもよい。
また、上記実施の形態１では、一対の側面板３２の３辺をＬ字状に折り曲げているものとしているが、一対の側面板３２の４辺をＬ字状に折り曲げてもよい。
【００３３】
また、上記実施の形態１では、接続端子３４が樹脂製の支持具３３に締結固定されているものとしているが、接続端子３４はモールド成形により樹脂製の絶縁支持部３３と一体に形成してもよい。
また、上記実施の形態１では、支持具３３が絶縁性樹脂で作製されているものとしているが、支持具は絶縁性樹脂で作製されている必要はなく、例えば支持具を金属製としてもよい。この場合、接続端子３４を電気絶縁材を介在させて該支持具に取り付けるようにすればよい。
【００３４】
【発明の効果】
この発明によれば、それぞれ後面側をＬ字状に折り曲げて成形された折り曲げ辺および該折り曲げ辺に穿設された固定穴を有する一対の側面板と底板とからコ字状に成形されて、引出形電気機器の収納空間を構成する鋼板製の収納枠体と、それぞれ両端を上記一対の側面板の後面側に固定されて、上下に並んで上記一対の側面板の後面側間に架設された一対の支持具とを備え、締結部材を上記固定穴に通して上記折り曲げ辺を支持部材に締着固定して該支持部材に片持ち支持状態に取り付けられるように構成され、接続端子が上記一対の支持具に取り付けられ、上記接続端子に接続される回路側の接続導体を挿通させる開口部が上記収納枠体の底板の後面側に形成されているので、支持部材および締結部材の部品点数が削減され、取付時間の短縮化および低コスト化を図ることができるとともに、接続導体の収納枠体内への導入が容易となり、接続導体の接続端子への接続作業性が向上される引出形電気機器の収納枠が得られる。
【００３６】
また、上記収納枠体は、１枚の鋼板をコ字状に折り曲げて形成されているので、部品点数が削減され、組立性および機械的強度が向上される。
【００３７】
また、上記収納枠体は、上記一対の側面板の下端側と上記底板の幅方向の両側とを連結してコ字状に成形されているので、一対の側面板および底板を個別に作製でき、大きな形状自由度が得られる。
【００３８】
また、上記一対の側面板は上記一対の側面板は前面側および後面側がＬ字状に折り曲げられてコ字状に成形され、上記底板は幅方向の両側がＬ字状に折り曲げられてコ字状に成形されているので、収納枠体の機械的強度が大きくなる。
【００３９】
また、上記一対の側面板の少なくとも３辺がＬ字状に折り曲げられているので、収納枠体の機械的強度がさらに大きくなる。
【００４０】
また、上記引出形電気機器の車輪を走向させるコ字状のレールが上記収納枠体の上記底板の幅方向両側に奥行き方向に延設され、上記引出形電気機器の固定用の穴が上記底板に穿設されているので、引出形電気機器の出し入れ作業が容易となると共に、引出形電気機器の固定が容易となる。
【００４１】
また、分岐導体支持用碍子が上記一対の側面板に取り付けられているので、分岐導体支持用碍子の支持部材が不要となる。
【図面の簡単な説明】
【図１】  この発明の実施の形態１に係る引出形電気機器の収納枠を示す斜視図である。
【図２】  この発明の実施の形態１に係る引出形電気機器の収納枠をスイッチギヤのハウジング内に取り付けた状態を示す斜視図である。
【図３】  この発明の実施の形態１に係る引出形電気機器の収納枠に引出形遮断器を収納した状態を示す斜視図である。
【図４】  従来のスイッチギヤの構成を模式的に示す縦断面図である。
【図５】  図４のＶ−Ｖ矢視断面図である。
【符号の説明】
２０  遮断器（引出形電気機器）、２０ａ  車輪、３０  収納枠、３１  底板、３１ａ  レール、３１ｂ  インターロック挿入穴、３２  側面板、３２ａ  折り曲げ辺、３２ｂ  固定穴、３３  支持具、３４  接続端子、４２  縦柱（支持部材）、４４  フレーム（支持部材）、３８  ボルト（締着部材）、３９  ナット（締着部材）、５０  開口部。
【図１】
0004515661.tif 000002
【図２】
0004515661.tif 000003
【図３】
0004515661.tif 000004
【図４】
0004515661.tif 000005
【図５】
0004515661.tif 000006